(57)【要約】【課題】  あらゆる種類の物品の交換取引を参考となるおよその目安の下に行うことが可能な物々交換支援システムを提供することである。【解決手段】  制御部と、個人情報記憶部と、物品関連情報記憶部と、を備え、制御部は、物々交換支援システムの一の利用者と他の利用者とが、互いの物品関連情報を確認できるよう各クライアント装置へと物品関連情報を提供する物品関連情報提供部と、クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、物品関連情報には、出品を行った利用者により物品毎に任意に設定された評価ポイントに関する情報が含まれる、物々交換支援サーバ。【選択図】  図２３
2017220212.tif 000002
【特許請求の範囲】
【請求項１】
通信により接続される１又は２以上のクライアント装置と共に物々交換支援システムを構成し、前記クライアント装置を利用する一の利用者と他の利用者との間の物々交換の支援を行う物々交換支援サーバであって、
制御部と、
前記物々交換支援システムの利用者の個人情報を記憶する個人情報記憶部と、
前記利用者の個人情報と関連付けて、前記利用者の出品する物品に関する物品関連情報を記憶する物品関連情報記憶部と、を備え、
前記制御部は、
前記物々交換支援システムの一の利用者と他の利用者とが、互いの前記物品関連情報を確認できるよう各クライアント装置へと前記物品関連情報を提供する物品関連情報提供部と、
前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、
前記物品関連情報には、出品を行った前記利用者により物品毎に任意に設定された評価ポイントに関する情報が含まれる、物々交換支援サーバ。
【請求項２】
請求項１に記載の物々交換支援サーバは、さらに、
前記利用者の個人情報と関連付けて、前記利用者が保有し、かつ、前記物々交換取引の際に利用可能な物々交換ポイントに関する情報を記憶する物々交換ポイント情報記憶部を備え、
前記制御部は、さらに、
前記取引判断部において物々交換取引が成立したものと判断された１又は２以上の物品の物品関連情報に含まれる評価ポイントの利用者毎の総和の間に差分が存在する場合には、前記物々交換ポイント情報記憶部に記憶された一方又は両方の前記利用者の前記物々交換ポイントに対して、評価が釣り合うように前記差分に基づいて物々交換ポイントの加算処理又は減算処理を行う均衡処理部を備える、物々交換支援サーバ。
【請求項３】
請求項１に記載の物々交換支援サーバにおいて、
前記制御部は、さらに、
出品される前記物品に関する評価ポイントが前記利用者により一旦設定されると、前記評価ポイントについて、出品後、所定期間は変更できないようにする変更防止部を備える、物々交換支援サーバ。
【請求項４】
請求項２に記載の物々交換支援サーバにおいて、
前記制御部は、さらに、
前記取引判断部において物々交換取引が成立したものと判断された場合に、前記物々交換取引の当事者となる利用者のそれぞれから、前記物々交換支援システムの運用者に対して、所定の物々交換ポイントを移動する物々交換ポイント移動部を備える、物々交換支援サーバ。
【請求項５】
請求項４に記載の物々交換支援サーバにおいて、
前記物々交換支援システムの利用者には、前記物々交換支援システムの前記運用者も含まれる、物々交換支援サーバ。
【請求項６】
請求項２に記載の物々交換支援サーバにおいて、
前記取引判断部は、さらに、
出品される物品に代えて又は出品される物品と共に前記物々交換ポイントを利用して物々交換リクエストが行われた場合にも、両者の間で物々交換取引が成立したものと判断する、物々交換支援サーバ。
【請求項７】
請求項６に記載の物々交換支援サーバにおいて、
前記物々交換ポイント処理部は、さらに、
前記取引判断部において前記物々交換ポイントを利用して物々交換取引が成立したものと判断された場合に、前記物々交換取引に関する物品の前記評価ポイントと物々交換ポイントとの総和を利用者毎に算出し、前記総和の間に差分が存在する場合には、前記物々交換ポイント情報記憶部に記憶された一方又は両方の利用者の前記物々交換ポイントに対して、評価が釣り合うように前記差分に基づいて物々交換ポイントの加算処理又は減算処理を行う、物々交換支援サーバ。
【請求項８】
請求項２に記載の物々交換支援サーバにおいて、
制御部は、さらに、
一の利用者の前記物々交換ポイントが第１の基準値より小さい場合に、前記利用者に対して所定期間内又は所定取引内に前記物々交換ポイントを所定値以上とするよう促す表示を行う取引監視部を備える、物々交換支援サーバ。
【請求項９】
請求項８に記載の物々交換支援サーバにおいて、
前記取引監視部は、さらに、
一の利用者の前記物々交換ポイントが第２の基準値より小さい場合に、前記利用者による物々交換ポイントがより小さくなるそれ以上の取引を行えないようにする、物々交換支援サーバ。
【請求項１０】
請求項２に記載の物々交換支援サーバにおいて、
制御部は、さらに、
一の利用者の前記物々交換ポイントが所定の基準値より小さい場合に、前記利用者のそれ以上の物々交換取引を禁止する取引禁止処理部を備える、物々交換支援サーバ。
【請求項１１】
請求項１に記載の物々交換支援サーバは、さらに、
前記取引判断部にて成立したと判断された物々交換取引に関する取引履歴情報を記憶する取引情報記憶部を備える、物々交換支援サーバ。
【請求項１２】
請求項１１に記載の物々交換支援サーバにおいて、
前記制御部は、さらに、
前記取引履歴情報に基づいて、出品された物品と同一又は類似の物品に関する過去の評価例を出品者に対して提供する評価例提供部を備える、物々交換支援サーバ。
【請求項１３】
請求項１１に記載の物々交換支援サーバにおいて、
前記制御部は、さらに、
前記取引履歴情報に基づいて、利用者に応じた広告情報を提供する広告制御部を備える、物々交換支援サーバ。
【請求項１４】
請求項２に記載の物々交換支援サーバにおいて、
前記制御部は、さらに、
利用者のリクエストに応じて、前記物々交換ポイント情報記憶部に記憶された前記利用者の物々交換ポイントを、外部システムへと送信するポイント情報送信部を備える、物々交換支援サーバ。
【請求項１５】
１又は２以上のクライアント装置と、
前記１又は２以上のクライアント装置と通信により接続され、前記クライアント装置を利用する一の利用者と他の利用者との間の物々交換の支援を行う物々交換支援サーバと、を備えた物々交換支援システムであって、
前記物々交換支援サーバは、
制御部と、
前記物々交換支援システムの利用者の個人情報を記憶する個人情報記憶部と、
前記利用者の個人情報と関連付けて、前記利用者の出品する物品に関する物品関連情報を記憶する物品関連情報記憶部と、を備え、
前記制御部は、
前記物々交換支援システムの一の利用者と他の利用者とが、互いの前記物品関連情報を確認できるよう各クライアント装置へと前記物品関連情報を提供する物品関連情報提供部と、
前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、
前記物品関連情報には、出品を行った前記利用者により物品毎に任意に設定された評価ポイントに関する情報が含まれる、物々交換支援システム。
【請求項１６】
コンピュータを、
通信により接続される１又は２以上のクライアント装置と共に物々交換支援システムを構成し、前記クライアント装置を利用する一の利用者と他の利用者との間の物々交換の支援を行う物々交換支援サーバであって、
制御部と、
前記物々交換支援システムの利用者の個人情報を記憶する個人情報記憶部と、
前記利用者の個人情報と関連付けて、前記利用者の出品する物品に関する物品関連情報を記憶する物品関連情報記憶部と、を備え、
前記制御部は、
前記物々交換支援システムの一の利用者と他の利用者とが、互いの前記物品関連情報を確認できるよう各クライアント装置へと前記物品関連情報を提供する物品関連情報提供部と、
前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、
前記物品関連情報には、出品を行った前記利用者により物品毎に任意に設定された評価ポイントに関する情報が含まれる、物々交換支援サーバとして機能させるコンピュータプログラム。
【請求項１７】
通信により接続される１又は２以上のクライアント装置と共に物々交換支援システムを構成し、前記クライアント装置を利用する一の利用者と他の利用者との間の物々交換の支援を行う物々交換支援サーバを利用した物々交換支援方法であって、
前記物々交換支援サーバは、
制御部と、
前記物々交換支援システムの利用者の個人情報を記憶する個人情報記憶部と、
前記利用者の個人情報と関連付けて、前記利用者の出品する物品に関する物品関連情報を記憶する物品関連情報記憶部と、を備え、
前記物々交換支援方法は、
前記物々交換支援システムの一の利用者と他の利用者とが、互いの前記物品関連情報を確認できるよう各クライアント装置へと前記物品関連情報を提供する物品関連情報提供ステップと、
前記クライアント装置を利用する一の利用者と他の利用者とが、互いの出品した１又は２以上の物品について互いに物々交換を行う意思表示を行った場合に、両者の間で物々交換取引が成立したものと判断する取引判断ステップと、を含むよう構成され、
前記物品関連情報には、出品を行った前記利用者により物品毎に任意に設定された評価ポイントに関する情報が含まれる、物々交換支援方法。
【発明の詳細な説明】
【技術分野】
【０００１】
この発明は、物々交換を支援するサーバ、システム、プログラム及び方法に関する。
【背景技術】
【０００２】
近年、日本を含む高齢化社会又は高齢社会においては、増大する社会保障費等の財源を如何に確保するかが課題となっており、この財源確保に対する１つの解決策として消費税の増税が検討されている。
【０００３】
ところで、消費税の増税が施行された社会、すなわち、高消費税率の社会においては、消費税の課税対象とならない取引、すなわち、物々交換取引がその重要性を増すことは想像に難くない。また、近年は、インターネットを介した商取引が一般化している。そのため、高消費税率の社会においては、インターネットを介した物々交換取引が一般化することが想定される。
【０００４】
物々交換取引をインターネットを利用して行う従来技術として、例えば、特許文献１に記載の技術が存在する。特許文献１には、インターネットを介して譲渡希望物品と取得希望物品の交換を支援するシステムが開示されている。
【先行技術文献】
【特許文献】
【０００５】
【特許文献１】特開２００８−１７１０７１号公報
【発明の概要】
【発明が解決しようとする課題】
【０００６】
しかしながら、特許文献１に記載の物々交換支援システムにおいては、当該システムの利用者等は何らの参考となる基準もない中において、価値の異なるあらゆる種類の物品間の取引を検討しなければならない。そのため、上記物々交換支援システムは、物品間の取引であってもある程度の等価な交換取引を希望する利用者等にとっては、過度の判断負担を強い得るものである。
【０００７】
本発明は、上述したような問題点に鑑みてなされたものであって、その目的は、あらゆる種類の物品の交換取引を参考となるおよその目安の下に行うことが可能な物々交換支援システムを提供することにある。
【０００８】
この発明のさらに他の目的並びに作用効果については、明細書の以下の記述を参照することにより、当業者によれば容易に理解されるであろう。
【課題を解決するための手段】
【０００９】
上述の技術的課題は、以下の構成により解決される。
【００１０】
すなわち、本発明に係る物々交換支援サーバは、通信により接続される１又は２以上のクライアント装置と共に物々交換支援システムを構成し、前記クライアント装置を利用する一の利用者と他の利用者との間の物々交換の支援を行う物々交換支援サーバであって、制御部と、前記物々交換支援システムの利用者の個人情報を記憶する個人情報記憶部と、前記利用者の個人情報と関連付けて、前記利用者の出品する物品に関する物品関連情報を記憶する物品関連情報記憶部と、を備え、前記制御部は、前記物々交換支援システムの一の利用者と他の利用者とが、互いの前記物品関連情報を確認できるよう各クライアント装置へと前記物品関連情報を提供する物品関連情報提供部と、前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、前記物品関連情報には、出品を行った前記利用者により物品毎に任意に設定された評価ポイントに関する情報が含まれるものである。
【００１１】
このような構成によれば、出品された物品には出品者により任意の評価ポイントが設定されていることから、物々交換支援システムの利用者らは、互いの物品に対する評価ポイントを確認しつつ取引を検討することができる。従って、物々交換取引を行うにあたっての利用者らの判断負担が軽減され、また、利用者らは物々交換取引を行う上であってもある程度の等価な物品の交換を期待することができる。なお、ここで、物々交換を行う意思表示とは、例えば、一方が取引内容を提案し他方が当該取引内容を受諾する形式の取引における互いの申出と受諾に関する処理等を含むものである。
【００１２】
また、前記物々交換支援サーバは、さらに、前記利用者の個人情報と関連付けて、前記利用者が保有し、かつ、前記物々交換取引の際に利用可能な物々交換ポイントに関する情報を記憶する物々交換ポイント情報記憶部を備え、前記制御部は、さらに、前記取引判断部において物々交換取引が成立したものと判断された１又は２以上の物品の物品関連情報に含まれる評価ポイントの利用者毎の総和の間に差分が存在する場合には、前記物々交換ポイント情報記憶部に記憶された一方又は両方の前記利用者の前記物々交換ポイントに対して、評価が釣り合うように前記差分に基づいて物々交換ポイントの加算処理又は減算処理を行う均衡処理部を備えてもよい。
【００１３】
このような構成によれば、評価に差のある物品間の物々交換取引を行う場合であっても、利用者の物々交換ポイントの増減を行うことにより全体として取引の均衡を図ることができる。
【００１４】
さらに、前記物々交換支援サーバにおいて、前記制御部は、さらに、出品される前記物品に関する評価ポイントが前記利用者により一旦設定されると、前記評価ポイントについて、出品後、所定期間は変更できないようにする変更防止部を備えてもよい。
【００１５】
このような構成によれば、出品後に物々交換に関するリクエストの状況を見て、オークションの如く評価ポイントを釣り上げること等を防止することができる。
【００１６】
加えて、前記物々交換支援サーバにおいて、前記制御部は、さらに、前記取引判断部において物々交換取引が成立したものと判断された場合に、前記物々交換取引の当事者となる利用者のそれぞれから、前記物々交換支援システムの運用者に対して、所定の物々交換ポイントを移動する物々交換ポイント移動部を備えてもよい。
【００１７】
このような構成によれば、物々交換取引が成立する度に、物々交換支援システムの運用者に対して、物々交換ポイントを付与することができるので、物々交換支援システムに対して投資を行った運用者に対する適切な利益配分を行うことができる。
【００１８】
また、前記物々交換支援サーバにおいて、前記物々交換支援システムの利用者には、前記物々交換支援システムの前記運用者も含まれてもよい。
【００１９】
このような構成によれば、物々交換支援システムの運用者自身も物々交換支援システムの利用者となることから、運用者自身も前記物々交換支援システムを介して物品を取得することができる。
【００２０】
さらに、前記物々交換支援サーバにおいて、前記取引判断部は、さらに、出品される物品に代えて又は出品される物品と共に前記物々交換ポイントを利用して物々交換リクエストが行われた場合にも、両者の間で物々交換取引が成立したものと判断してもよい。
【００２１】
このような構成によれば、物々交換ポイントを利用して取引が出来るので、評価が自身の出品した物品よりも低い物品と取引を行うことで物々交換ポイントを得た後でも、その後、当該物々交換ポイントを利用して他の物品と交換することができる。また、その逆も同様である。すなわち、全体として等価な取引、或いは取引の均衡を図ることができる。
【００２２】
加えて、前記物々交換支援サーバにおいて、前記物々交換ポイント処理部は、さらに、前記取引判断部において前記物々交換ポイントを利用して物々交換取引が成立したものと判断された場合に、前記物々交換取引に関する物品の前記評価ポイントと物々交換ポイントとの総和を利用者毎に算出し、前記総和の間に差分が存在する場合には、前記物々交換ポイント情報記憶部に記憶された一方又は両方の利用者の前記物々交換ポイントに対して、評価が釣り合うように前記差分に基づいて物々交換ポイントの加算処理又は減算処理を行ってもよい。
【００２３】
このような構成によれば、評価に差のある物品間の物々交換取引を行う場合であっても、利用者の物々交換ポイントの増減を行うことにより取引の均衡を図ることができる。
【００２４】
また、前記物々交換支援サーバにおいて、制御部は、さらに、一の利用者の前記物々交換ポイントが第１の基準値より小さい場合に、前記利用者に対して所定期間内又は所定取引内に前記物々交換ポイントを所定値以上とするよう促す表示を行う取引監視部を備えてもよい。
【００２５】
このような構成によれば、評価の低い物品を出品しつつ評価の高い物品と交換を行う内容の物々交換取引を繰り返す利用者に対して注意喚起を行うことができる。
【００２６】
さらに、前記物々交換支援サーバにおいて、前記取引監視部は、さらに、一の利用者の前記物々交換ポイントが第２の基準値より小さい場合に、前記利用者による物々交換ポイントがより小さくなるそれ以上の取引を行えないようにしてもよい。
【００２７】
このような構成によれば、評価の低い物品を出品しつつ評価の高い物品と交換を行う内容の物々交換取引を繰り返す利用者による、それ以上の不適当な物々交換取引を防止することができる。
【００２８】
加えて、前記物々交換支援サーバにおいて、制御部は、さらに、一の利用者の前記物々交換ポイントが所定の基準値より小さい場合に、前記利用者のそれ以上の物々交換取引を禁止する取引禁止処理部を備えてもよい。
【００２９】
このような構成によれば、評価の低い物品を出品しつつ評価の高い物品と交換を行う内容の物々交換取引を繰り返す利用者を交換取引市場から排除することができる。
【００３０】
また、前記物々交換支援サーバは、さらに、前記取引判断部にて成立したと判断された物々交換取引に関する取引履歴情報を記憶する取引情報記憶部を備えてもよい。
【００３１】
このような構成によれば、取引履歴情報が記憶されるので、運用者等は、どのような物品がどのような条件で取引されているか等について分析することができる。
【００３２】
さらに、前記物々交換支援サーバにおいて、前記制御部は、さらに、前記取引履歴情報に基づいて、出品された物品と同一又は類似の物品に関する過去の評価例を出品者に対して提供する評価例提供部を備えてもよい。
【００３３】
このような構成によれば、過去の評価例を参考とすることが出来るので、利用者による評価ポイントのばらつきを抑制することができる。
【００３４】
加えて、前記物々交換支援サーバにおいて、前記制御部は、さらに、前記取引履歴情報に基づいて、利用者に応じた広告情報を提供する広告制御部を備えてもよい。
【００３５】
このような構成によれば、利用者が過去に取引を行った物品に関する情報に基づいて、広告情報を提供することができるので、より利用者の興味等に沿った適確な広告を行うことができる。
【００３６】
また、物々交換支援サーバにおいて、前記制御部は、さらに、利用者のリクエストに応じて、前記物々交換ポイント情報記憶部に記憶された前記利用者の物々交換ポイントを、外部システムへと送信するポイント情報送信部を備えてもよい。
【００３７】
このような構成によれば、物々交換取引により得られた物々交換ポイントを、利用者からのリクエストに応じて外部システムに対して送信できるので、当該外部システムにおけるポイントへと変換すること等が可能となる。
【００３８】
また、別の側面から見た本発明は、物々交換支援システムとしても観念し得る。すなわち、本発明に係る物々交換支援システムは、１又は２以上のクライアント装置と、前記１又は２以上のクライアント装置と通信により接続され、前記クライアント装置を利用する一の利用者と他の利用者との間の物々交換の支援を行う物々交換支援サーバと、を備えた物々交換支援システムであって、前記物々交換支援サーバは、制御部と、前記物々交換支援システムの利用者の個人情報を記憶する個人情報記憶部と、前記利用者の個人情報と関連付けて、前記利用者の出品する物品に関する物品関連情報を記憶する物品関連情報記憶部と、を備え、前記制御部は、前記物々交換支援システムの一の利用者と他の利用者とが、互いの前記物品関連情報を確認できるよう各クライアント装置へと前記物品関連情報を提供する物品関連情報提供部と、前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、前記物品関連情報には、出品を行った前記利用者により物品毎に任意に設定された評価ポイントに関する情報が含まれる。
【００３９】
さらに、別の側面から見た本発明は、物々交換支援サーバとして機能させるコンピュータプログラムとしても観念し得る。すなわち、本発明に係るコンピュータプログラムは、コンピュータを、通信により接続される１又は２以上のクライアント装置と共に物々交換支援システムを構成し、前記クライアント装置を利用する一の利用者と他の利用者との間の物々交換の支援を行う物々交換支援サーバであって、制御部と、前記物々交換支援システムの利用者の個人情報を記憶する個人情報記憶部と、前記利用者の個人情報と関連付けて、前記利用者の出品する物品に関する物品関連情報を記憶する物品関連情報記憶部と、を備え、前記制御部は、前記物々交換支援システムの一の利用者と他の利用者とが、互いの前記物品関連情報を確認できるよう各クライアント装置へと前記物品関連情報を提供する物品関連情報提供部と、前記クライアント装置を利用する一の利用者と他の利用者とが、互いの出品した１又は２以上の物品について互いに物々交換を行う意思表示を行った場合に、両者の間で物々交換取引が成立したものと判断する取引判断部と、を含むよう構成され、前記物品関連情報には、出品を行った前記利用者により物品毎に任意に設定された評価ポイントに関する情報が含まれる、物々交換支援サーバとして機能させるコンピュータプログラムである。
【００４０】
加えて、別の側面から見た本発明は、物々交換支援方法としても観念し得る。すなわち、本発明に係る物々交換支援方法は、通信により接続される１又は２以上のクライアント装置と共に物々交換支援システムを構成し、前記クライアント装置を利用する一の利用者と他の利用者との間の物々交換の支援を行う物々交換支援サーバを利用した物々交換支援方法であって、前記物々交換支援サーバは、制御部と、前記物々交換支援システムの利用者の個人情報を記憶する個人情報記憶部と、前記利用者の個人情報と関連付けて、前記利用者の出品する物品に関する物品関連情報を記憶する物品関連情報記憶部と、を備え、前記物々交換支援方法は、前記物々交換支援システムの一の利用者と他の利用者とが、互いの前記物品関連情報を確認できるよう各クライアント装置へと前記物品関連情報を提供する物品関連情報提供ステップと、前記クライアント装置を利用する一の利用者と他の利用者とが、互いの出品した１又は２以上の物品について互いに物々交換を行う意思表示を行った場合に、両者の間で物々交換取引が成立したものと判断する取引判断ステップと、を含むよう構成され、前記物品関連情報には、出品を行った前記利用者により物品毎に任意に設定された評価ポイントに関する情報が含まれる。
【発明の効果】
【００４１】
本発明によれば、出品された物品には出品者により任意の評価ポイントが設定されているので、物々交換支援システムの利用者らは、互いの物品に対する評価ポイントを確認しつつ取引を検討することができる。従って、物々交換取引を行うにあたっての利用者らの判断負担が軽減され、また、利用者らは物々交換取引を行う上であってもある程度の等価な物品の交換を期待することができる。
【図面の簡単な説明】
【００４２】
【図１】図１は、物々交換取引支援システムの全体構成を示す図である。
【図２】図２は、情報登録時のフローチャートである。
【図３】図３は、情報登録を行うための画面図である。
【図４】図４は、ログインに関するフローチャートである。
【図５】図５は、ログインを行うための画面図である。
【図６】図６は、モード選択の概要について示すゼネラルフローチャートである。
【図７】図７は、モード選択時の画面図である。
【図８】図８は、物品登録・出品モードのゼネラルフローチャートである。
【図９】図９は、初期状態の物品登録画面図である。
【図１０】図１０は、物品の新規登録処理に関するフローチャートである。
【図１１】図１１は、物品登録時の画面図である。
【図１２】図１２は、評価例表示処理に関するフローチャートである。
【図１３】図１３は、登録物品の出品処理に関するフローチャートである。
【図１４】図１４は、物品登録後の物品登録画面図である。
【図１５】図１５は、出品操作時の物品登録画面図である。
【図１６】図１６は、物品登録後の物品登録画面図である。
【図１７】図１７は、交換物品の選択時のゼネラルフローチャートである。
【図１８】図１８は、検索結果表示処理のフローチャートである。
【図１９】図１９は、物品選択処理のフローチャートである。
【図２０】図２０は、交換物品の選択処理のフローチャートである。
【図２１】図２１は、交換物品の選択時の画面図である。
【図２２】図２２は、交換対象物品の詳細表示例の画面図である。
【図２３】図２３は、交換物品選択時の画面図である。
【図２４】図２４は、取引内容確認時の画面図である。
【図２５】図２５は、取引状況確認モードのゼネラルフローチャートである。
【図２６】図２６は、取引受諾処理のフローチャートである。
【図２７】図２７は、取引の相手方のモード選択時の画面図である。
【図２８】図２８は、取引状況確認時の画面図である。
【図２９】図２９は、取引受諾時の画面図である。
【図３０】図３０は、取引成立時の各出品者の画面図である。
【図３１】図３１は、取引完了時の画面図である。
【図３２】図３２は、ポイント確認モードのフローチャートである。
【図３３】図３３は、ポイント確認時の画面図である。
【図３４】図３４は、取引前後の状態を表す説明図（その１）である。
【図３５】図３５は、取引前後の状態を表す説明図（その２）である。
【図３６】図３６は、取引前後の状態を表す説明図（その３）である。
【図３７】図３７は、取引前後の状態を表す説明図（その４）である。
【図３８】図３８は、国保連への請求仲介システムとの統合例について示す説明図である。
【発明を実施するための形態】
【００４３】
以下に、本発明に係る物々交換支援システムの好適な実施の一形態を、添付の図面を参照しながら詳細に説明する。
【００４４】
＜１．第１の実施形態＞
＜１．１  物々交換支援システムの構成＞
まず、本実施形態に係る物々交換支援システムの構成について説明する。図１は、本発明の第１の実施形態に係る物々交換支援システム１の全体構成を示す図である。物々交換支援システム１は、物々交換支援サーバ１０と、クライアント装置２０とから構成され、物々交換支援サーバ１０とクライアント装置２０とはインターネット等を介して互いに通信可能なように構成されている。
【００４５】
物々交換支援サーバ１０は、ＣＰＵ等から成り物々交換支援サーバ１０の動作を制御する制御部１１、後述する種々の情報を記憶可能なメモリから成る記憶部１２、及び、インターネットを介したクライアント装置２０との通信を可能とする通信部１３とを備える。なお、図１に示した構成は、本実施形態に関係するサーバコンピュータの要部構成を示したものであるため、明示的に記載された構成の他に電源ユニット等が備えられていることは勿論である。また、本発明において、記憶部１２は物々交換支援サーバ１０内に備えられているが、大容量ストレージ等として物々交換支援サーバ１０と別に設けられてもよい。
【００４６】
クライアント装置２０は、ＣＰＵ等から成りクライアント装置２０の動作を制御する制御部２１、後述する種々の情報を記憶するメモリからなる記憶部２２、インターネットを介して物々交換支援サーバ１０との通信を可能とする通信部２３、音声出力用のスピーカ２４、ディスプレイ２６、ディスプレイ２６へのタッチ等を検出して入力情報の入力動作を行う入力部２５、及び、制御部２１の制御に応じて被写体を撮影可能なカメラ２７とを備えている。なお、本実施形態において、クライアント装置２０は、スマートフォンであるが、本発明に係るクライアント装置はこのような装置に限定されることなく、例えば、パーソナルコンピュータ、携帯電話、タブレット端末等の他の同種の情報処理端末であってもよい。
【００４７】
＜１．２  物々交換取引支援システムの動作＞
次に、物々交換取引システム１の動作について説明する。
【００４８】
＜１．２．１  ユーザ情報の登録＞
まず、図２及び図３を参照しつつ、物々交換取引システム１へのユーザ情報の登録方法について説明する。
【００４９】
物々交換システム１の新規ユーザが、物々交換支援サーバ１０等の所定のＵＲＬへとアクセスすると、図３に示す情報登録画面３０がクライアント装置２０上へと表示される。新規ユーザは、当該情報登録画面３０を介して物々交換システム１へとユーザに関する情報を登録することができる。
【００５０】
図２は、情報登録時の動作に関するフローチャートである。まず、処理の開始時点では、「以下のすべての情報を入力してください」との文章を最上部に含む図３に示す情報登録画面３０が表示されている。初期状態において情報登録画面は入力待機状態となっている（Ｓ１０ＮＯ）。この状態において、ユーザがタッチパネル等の入力部２５を備えたディスプレイ２６に触れると、当該接触に基づく入力が検出されると共に（Ｓ１０ＹＥＳ）、当該入力内容の識別処理がなされる（Ｓ１１）。ユーザが情報登録画面３０のユーザ名の欄３１に触れたことが検出されると、ユーザ名情報の受付処理が開始し（Ｓ１２）、ユーザは自身のユーザ名を入力することができる。また、ユーザが情報登録画面３０のＥメールアドレス情報の欄３１に触れたことが検出されると、Ｅメールアドレスの受付処理が開始し（Ｓ１３）、ユーザは自身のＥメールアドレスを入力することができる。さらに、ユーザが情報登録画面３０の郵便番号の欄３３又は住所入力欄３５に触れたことが検出されると、住所情報の受付処理が開始し（Ｓ１４）、ユーザは物品等を受領する住所を入力することができる。なお、郵便番号の欄３３へと郵便番号を入力すると、検索ボタン３４がアクティブとなり、当該検索ボタン３４を選択することで、入力された郵便番号と一致する住所を検索して住所入力欄３５へと表示させることもでき、これにより容易な住所入力が可能となる。また、ユーザが情報登録画面３０の宛名欄３６に触れたことが検出されると、宛名情報の受付処理が開始し（Ｓ１５）、ユーザは物品を受領する際の宛名を入力できる。さらに、ユーザが情報登録画面３０のパスワード欄３７に触れたことが検出されると、パスワード情報の受付処理が開始し（Ｓ１６）、ユーザは物々交換支援システム１へとログインする際のパスワードを入力することができる。
【００５１】
以上の必要情報を入力した後、最後に、完了ボタン３８を選択することで、入力内容の確定処理などの入力完了処理がなされると共に（Ｓ１７）、すべての入力情報の物々交換支援サーバ１０への送信処理がなされ（Ｓ１８）、処理が終了する。
【００５２】
なお、物々交換支援サーバ１０への情報送信後、必要情報が入力されていない場合等にあっては、所定のエラーメッセージを表示し、再度入力を促すような構成としてもよい。また、本実施形態ではすべての必要情報を入力した後に完了ボタン３８を選択することで、一括して入力情報を送信する構成としたが、入力方法はこのような態様に限定されず、例えば、所定の入力単位で逐次情報を送信してもよいことは勿論である。
【００５３】
＜１．２．２  ログイン＞
次に、図４及び図５を参照しつつ、物々交換取引システム１へのログイン方法について説明する。
【００５４】
ユーザが物々交換支援サーバ１０等のＵＲＬへとインターネットを介してアクセスすると、図５に示すログイン画面５０がクライアント装置２０上へと表示される。
【００５５】
図４は、クライアント装置２０を介して、物々交換支援システム１へとログインする際のフローチャートである。処理開始時点において、クライアント装置２０上には、ログイン画面５０が表示されており入力待機状態となっている（Ｓ３０ＮＯ）。当該ログイン画面５０において、ユーザは、ユーザ名の入力欄５１に登録したユーザ名情報、Ｅメールアドレス入力欄５２に登録したＥメールアドレス情報及びパスワード入力欄５３に登録したパスワード情報を入力することができる。なお、この例にあっては、ユーザ名とＥメールアドレスはどちらか一方だけ入力すればよいように構成されている。ユーザは、これらのログインに必要な情報を入力した後、最後にログインボタン５４を選択する（Ｓ３０ＹＥＳ）。
【００５６】
ログインボタン５４が選択されると（Ｓ３０ＹＥＳ）、クライアント装置では、すべての必要情報が適切に入力されたかを確認する処理を行う（Ｓ３１）。この確認処理の結果、必要情報が適切に入力されていないと判断された場合（Ｓ３１ＮＯ）、ログイン画面５０上に図示しないエラーメッセージが表示されると共に、入力要求項目をハイライトして再び入力待機状態へと戻る（Ｓ３２）。一方、確認処理の結果、必要情報がすべて入力されていると判断された場合（Ｓ３１ＹＥＳ）、入力された情報と共に、ログイン処理を要求するログインリクエストを物々交換支援サーバ１０へと送信する（Ｓ３３）。このログインリクエストの送信処理の後、クライアント装置２０は、サーバからの情報を受信するまで、待機する処理を行う（Ｓ３４、Ｓ３５ＮＯ）。
【００５７】
物々交換支援サーバは、ログインリクエストの受信の有無を常に検出する処理を行っている（Ｓ３６ＮＯ）。そこにクライアント装置２０から上述のログインリクエストを受信すると（Ｓ３６ＹＥＳ）、物々交換支援サーバ１０は、ログインリクエストと共に受信した情報、すなわち、ユーザ名情報又はＥメールアドレス情報とパスワード情報を、事前に登録された対応する情報と照合する処理を行う（Ｓ３７）。
【００５８】
上記照合処理を行った結果、登録情報とすべて一致した場合には（Ｓ３８ＹＥＳ）、物々交換支援サーバ１０は、当該クライアント装置に対して物々交換支援システム１へとアクセスすることを許可するログイン処理を行うと共に（Ｓ３９）、クライアント装置２０に対してログイン成功情報と共にログイン後に表示されるメニュー画面情報を送信する（Ｓ４０）。一方、登録情報といずれかの情報が合致しなかった場合（Ｓ３８ＮＯ）、物々交換支援サーバ１０は、物々交換支援サーバ１０へとログインすることを許可せず、ログインに失敗したことを通知するエラー情報をクライアント装置２０に対して送信する処理を行う（Ｓ４１）。
【００５９】
クライアント装置２０は、物々交換支援サーバ１０から所定の情報を受信すると（Ｓ３５ＹＥＳ）、当該入力の識別処理を行う（Ｓ４２）。その結果、エラー情報を受信したと識別された場合には、ログインに失敗したことを示すメッセージを表示するエラー処理（Ｓ４３）が行われた後、クライアント装置２０は再度入力待機状態へと戻ることとなる。一方、ログインの成功情報及びメニュー画面情報を受信したと識別された場合には、クライアント装置２０は、メニュー画面情報に基づいて、後述するメニュー画面７０の表示処理を行い（Ｓ４４）、処理は終了する。
【００６０】
＜１．２．３  メニュー画面＞
次に、図６及び図７を参照しつつ、物々交換取引システム１におけるモード選択方法について説明する。
【００６１】
図６は、モード選択の概要について示すゼネラルフローチャートである。上述のログイン処理の後、処理が開始すると、クライアント装置２０上には、図７に示されるメニュー画面７０が表示される（Ｓ５０）。当該メニュー画面７０を表示しつつ、クライアント装置２０は、入力待機状態となる（Ｓ５１ＮＯ）。
【００６２】
メニュー画面７０の画面中央には２×２の４つの選択ボタン７１〜７４が配置され、左上のボタンは、物品の登録や出品を行うモードへと移行するための物品の登録・出品ボタン７１、右上のボタンは、交換対象となる他人の物品を選択するモードへ移行するための交換物品選択ボタン７２、左下のボタンは、自身の関係する取引の状況を確認するモードへと移行するための取引状況確認ボタン７３、右下のボタンは、物々交換ポイント等の保有状況等を確認するモードへと移行するためのポイント確認ボタン７４を示している。また、メニュー画面７０の右上には、物々交換支援システム１からログアウトするためのログアウトボタン７５が設けられている。
【００６３】
ユーザがタッチパネル等の入力部２５を備えたディスプレイ２６に触れると、当該接触に基づく入力が検出されると共に（Ｓ５１ＹＥＳ）、当該入力内容の識別処理がなされる（Ｓ５２）。ユーザがメニュー画面７０の物品の登録・出品ボタン７１に相当する領域に触れたことが検出されると、物品の登録・出品モードに関する処理が開始する（Ｓ５３）。ユーザがメニュー画面７０の交換物品選択ボタン７２に相当する領域に触れたことが検出されると、交換物品選択モードに関する処理が開始する（Ｓ５４）。ユーザがメニュー画面７０の取引状況確認ボタン７３に相当する領域に触れたことが検出されると、取引状況確認モードに関する処理が開始する（Ｓ５５）。ユーザがメニュー画面７０のポイント確認ボタン７４に相当する領域に触れたことが検出されると、ポイント確認モードに関する処理が開始する（Ｓ５６）。また、ユーザがメニュー画面７０のログアウトボタン７５に相当する領域に触れたことが検出されると、ログイン状態から脱するログアウト処理が実行される（Ｓ５７）。
【００６４】
すなわち、ユーザは、メニュー画面７０を起点として、後述する種々のモードへと移行することができる。
【００６５】
＜１．２．４  物品の登録・出品モード＞
続いて、図８〜図１６を参照しつつ、物品の登録及び出品に関するモードについて説明する。
【００６６】
まず、図８及び図９を参照しつつ、物品登録の初期画面における処理について説明する。図８は、出品対象となる物品の登録及び出品モードに関するゼネラルフローチャートである。ユーザがメニュー画面７０の物品の登録・出品ボタン７１に相当する領域に触れたことが検出されると、物品の登録・出品モードに関する処理が開始し（Ｓ５３）、物々交換支援サーバ１０からこれまでに当該ユーザが登録した物品に関する物品関連情報の読出処理が実行される（Ｓ５３０）。その後、当該物品関連情報に基づいて、図９に示す物品登録画面９０がクライアント装置２０上に表示され（Ｓ５３１）、所定の入力の待機状態となる（Ｓ５３２ＮＯ）。
【００６７】
図９に示す物品登録画面９０の画面中央部には、これまでに物々交換支援サーバ１０に出品対象物品として登録された物品の情報を表示する登録物品表示領域９１、当該登録物品表示領域９１の下部近傍に配置され物品の新規登録処理を開始するための新規登録ボタン９２、及び、画面右下に配置されモード選択画面７０へと戻るための戻るボタン９３が配置されている。
【００６８】
物品登録画面９０において、ユーザがタッチパネル等の入力部２５を備えたディスプレイ２６に触れると、当該接触に基づく入力が検出されると共に（Ｓ５３２ＹＥＳ）、当該入力内容の識別処理がなされる（Ｓ５３３）。ユーザが物品登録画面９０の新規登録ボタン９２に相当する領域に触れたことが検出されると、出品対象となる物品の新規登録処理が開始する（Ｓ５３４）。また、ユーザが物品登録画面９０の戻るボタン９３に相当する領域に触れたことが検出されると、物品登録・出品モードを終了させ、再びメニュー画面７０へと戻る処理が開始する（Ｓ５３６）。さらに、図９に表示はないものの、既に物品の登録が行われている場合には、後述の図１４又は図１６等に示されるように、出品ボタン１２６が表示され得る。その場合、ユーザが物品登録画面９０の出品ボタン１２６に相当する領域に触れたことが検出されると、登録物品を交換対象物品として他人から検索可能な状態へと変更する出品処理が開始する（Ｓ５３８）。
【００６９】
続いて、図１０及び図１１を参照しつつ、物品を新規に物々交換支援サーバ１０へと登録する処理について説明する。図１０は、物品の新規登録処理に関するフローチャートである。物品の新規登録処理（Ｓ５３４）が開始すると、物々交換支援サーバ１０により図１１に示される物品登録画面１００が提供されクライアント装置２０上に表示されると共に、入力待機状態となる（Ｓ５３４１ＮＯ）。
【００７０】
図１１に示す物品登録画面１００の画面左上には写真入力領域１０１が設けられている。写真入力領域１０１がユーザにより選択されたことが検出されると、クライアント装置２０により画像データの受付処理が開始される（Ｓ５３４３）。具体的には、登録対象となる物品を撮影すること或いは撮影した画像を選択することをユーザへと促し、当該選択又は撮影された画像をクライアント装置２０へと一時記憶させる処理を行う。図１１の例にあっては、写真入力領域１０１には、老眼鏡を撮影した画像が表示されている。当該受付処理の後、ユーザにより所定の決定処理がなされると、当該画像データは物々交換支援サーバ１０へと送信（アップロード）されることとなる（Ｓ５３４４）。
【００７１】
写真入力領域１０１の直下には、物品名入力領域１０２が設けられている。物品名入力領域１０２がユーザにより選択されたことが検出されると、物品名入力領域がアクティブとなり、物品名称の受付処理が開始される（Ｓ５３４５）。ユーザは、当該物品名入力領域に対して任意の文字を入力することができ、例えば、図１１の例にあっては、老眼鏡を登録しようとしているので「老眼鏡」という物品名称を入力する。物品名称が入力され所定の決定処理がなされると、当該物品名称は物々交換支援サーバ１０へと送信（アップロード）される（Ｓ５３４６）。なお、本実施形態においては、後述するように、ユーザは、登録する物品に対して定量的評価を行うこととなり、この評価の参考情報として、同一又は類似の物品に関する過去の評価例が表示可能に構成されている。すなわち、本実施形態では、物品名が入力され、それが物々交換支援サーバ１０へと送信（アップロード）されると、過去の同一又は類似の物品に関する評価例表示処理がなされるよう構成されている（Ｓ５３４７）。
【００７２】
図１２を参照しつつ、物々交換支援サーバ１０における評価例表示処理（Ｓ５３４７）の流れについて説明する。物々交換支援サーバ１０は、通常、物品名を受信するまで待機状態となっている（Ｓ５３４７１ＮＯ）。クライアント装置２０から送信された物品名を受信すると（Ｓ５３４７１ＹＥＳ）、物々交換支援サーバ１０は、当該物品名に基づいて、同一又は類似の物品名に基づく検索処理を行う（Ｓ５３４７２）。例えば、物々交換支援サーバ１０が「老眼鏡」という語句を受信した場合、当該「老眼鏡」なる語句と一部又は全体が一致する語句（例えば、「老眼鏡」、「眼鏡」など）、平仮名や片仮名などの対応する語句（例えば、「ろうがんきょう」、「メガネ」、「めがね」など）、或いは、その他の類似の語句（連想される語句も含む）が検索される。なお、この検索の際、ヒット数を制限するため、例えば、最新のものから数えてそれぞれ数個〜数十個程度と一定の制限を設けてもよい。検索処理が行われると、検索された語句に対応する過去の物品関連情報を読み出す処理が行われる（Ｓ５３４７３）。この物品関連情報には、検索された物品名を有する物品に関する画像データや評価ポイントに関する情報が含まれている。すなわち、例えば、老眼鏡という語句に類似すると判断された物品である「眼鏡」が過去に１００ポイントとして評価されていた情報などが読み出される。続いて、過去の物品関連情報が一通り読み出されるとクライアント装置２０へと送信する処理が行われる（Ｓ５３４７４）。なお、物品関連情報はその後、クライアント装置２０において、物品登録画面１００の右側の評価例表示領域１０４に表示される。評価例表示領域１０４内には、縦方向に複数の個別評価例表示領域１０６が配置され、スクロールバー１０５を操作することにより表示範囲を変更することができる。
【００７３】
図１１に戻り、物品名入力領域１０２の下方には、物品の属するカテゴリを指定するカテゴリ入力領域１０３が設けられている。また、カテゴリ１０３の右端部には選択肢表示ボタン１１０が設けられている。すなわち、ユーザが選択肢表示ボタン１１０を選択すると物品登録画面１００上には図示しないカテゴリ候補が表示され、当該カテゴリ候補の中から物品の属する、或いは最も適当なカテゴリを選択することができる（Ｓ５３４８）。その後、所定の確定処理を行うと、当該カテゴリに関する情報は物々交換支援サーバ１０へと送信（アップロード）される（Ｓ５３４９）。なお、選択されたカテゴリはカテゴリ入力領域１０３へと表示される。
【００７４】
カテゴリ入力領域１０３の下方には、評価ポイント入力領域１０７が設けられている。評価ポイント入力領域１０７がユーザにより選択されると、評価ポイント入力領域１０７はアクティブとなり、評価ポイント受付処理が開始する（Ｓ５３５０）。すなわち、ユーザは、上述の評価例表示領域１０４の表示を参考としつつ、自らが登録しようとする物品の主観的及び定量的評価に相当する評価ポイントを数値で入力する。本実施形態においては、評価例表示領域１０４に記載された過去の評価例、すなわち、上段の老眼鏡が８０ポイント、中段の眼鏡が１００ポイント、下段の老眼鏡が１２０ポイントとの過去評価されていたことを参考として、ユーザは、評価ポイントとして１００ポイントを入力しようとしている。
【００７５】
このような構成によれば、過去の評価例を参考とすることが出来るので、ユーザによる評価ポイントのばらつきを抑制することができる。
【００７６】
その後、所定の確定処理がなされると、入力した評価ポイントは、物々交換支援サーバ１０へと送信（アップロード）される（Ｓ５３５１）。
【００７７】
評価ポイント入力領域１０７の下方には登録ボタン１０８が配置されている。登録ボタン１０８が選択されると所定の登録処理が行われる（Ｓ５３５２）。すなわち、これまでにアップロードした情報を物々交換支援サーバ１０へと記憶させる処理を行う。このとき、すべての情報が入力されていない場合には、すべての情報を入力するよう促すエラーメッセージ等を表示させてもよい。その後、物品の新規登録処理は終了し、再び、図１４に示す物品登録画面９０が表示される。なお、後述するように、このとき、物品登録画面９０の登録物品表示領域９１には、新規登録を行った物品に関する情報が表示される。
【００７８】
以上が、物品の登録処理の流れである。なお、本実施形態においては、各項目の入力毎にアップロードを行い、最後に登録ボタン１０８を選択する構成とした。しかしながら、本発明はこのような構成に限定されるものではない。すなわち、例えば、各項目へと入力が行われる度にクライアント装置２０へと一時保存し、最後に登録ボタン１０８を選択することですべての情報を一度に送信（アップロード）するような構成としてもよい。
【００７９】
また、ユーザは一度にすべての情報を登録する必要はない。登録ボタン１０８の右隣りには、一時保存ボタン１０９が設けられており、この一時保存ボタン１０９を選択することで、それまでに登録した情報を物々交換支援サーバ１０上に一時保存することもできる（Ｓ５３５３）。このような構成によれば、登録処理を再開する場合でも、既に入力した情報については入力する必要はなく、物々交換支援システムの使い勝手が良くなる。
【００８０】
次に、図１３乃至図１６を参照しつつ、上述した手順にて登録した物品を物々交換取引市場へと出品する処理について流れについて説明する。
【００８１】
新規物品の登録処理を終えると、クライアント装置２０のディスプレイ２６上には、再び図１４に示す物品登録画面９０が表示される。なお、図１４において、図９と同一の構成については同一の符号が使用されている。このとき、登録物品表示領域９１内には、新たに登録された物品毎に登録物品表示欄１２１が設けられ、登録物品表示欄には、水平方向に各登録物品に関する情報、すなわち、左から順に、登録した物品について出品処理がされているか否かを示す状態欄１２２、登録した物品に関する画像を表示する画像表示欄１２３、登録した物品名に関する物品名表示欄１２４、登録した物品に関して付与された評価ポイントを表示する評価ポイント表示欄１２５、及び、登録物品を物々交換取引市場へと出品するか否かを設定する出品選択ボタン１２６が設けられている。なお、状態欄１２２には編集ボタン１２２が設けられており、当該編集ボタン１２２を選択すると、再び図物品登録画面１００が立ち上がり、ユーザは、登録情報に対して変更を加えることができる。
【００８２】
図１３は出品ボタン１２６を選択してから、登録物品の出品処理を完了するまでの流れについて説明するフローチャートである。まず、出品ボタン１２６が選択されたことが検出されると処理が開始し、図１５に示す出品確認画面表示領域１３０が物品登録画面９０に重畳して表示される（Ｓ５３８１）。この出品確認画面表示領域１３０が表示されるとクライアント装置２０は入力待機状態となる（Ｓ５３８２ＮＯ）。図１５の中央部分に示す出品確認画面表示領域１３０には、一旦出品を行うと当該物品に関して評価ポイントの変更は１週間出来ない旨のコメントが表示されると共に、本当に出品するか否かを選択する第１の選択領域１３１と第２の選択領域１３２が表示される。第１の表示領域は、出品することに同意する選択肢に関する表示領域であり、第２の表示領域は、出品に同意しない選択肢に関する表示領域である。
【００８３】
このような一旦出品処理を行った後は評価ポイントの変更を一定期間は出来ないという構成によれば、出品後に物々交換に関する他のユーザからのリクエスト状況を見て、オークションの如く評価ポイントを釣り上げるといった行為を防止することができる。
【００８４】
出品確認画面表示領域１３０が表示された状態において、ユーザがタッチパネル等の入力部２５を備えたディスプレイ２６に触れると、当該接触に基づく入力が検出されると共に（Ｓ５３８２ＹＥＳ）、当該入力内容の識別処理がなされる（Ｓ５３８３）。このとき、ユーザが第２の選択領域１３２を選択したと検出された場合、処理は終了し、再び図１４に示す物品登録画面９０が表示される。一方、ユーザが第１の選択領域１３１を選択したと検出された場合、所定の出品処理がなされる（Ｓ５３８４）。この出品処理とは、物々交換取引市場に参加する他のユーザから当該物品に関する情報を閲覧可能にする処理であり、例えば、登録物品毎に予め設けられた出品フラグをＯＮ／ＯＦＦすることにより実現される。その後、処理は終了し、出品確認画面表示領域１３０が消えると共に、図１６に示す物品登録画面９０が表示される。同図から明らかな通り、出品処理が正常に行われると、出品選択ボタン１２６の中央部にはチェックマークが表示される。
【００８５】
なお、本実施形態においては、不用意な出品を回避すべく、物品の登録処理を先ず行い、その後に別途出品処理を行うとの構成を採用しているが、本発明はこのような構成に限定されない。従って、例えば、別途の出品処理を行わずとも、登録処理のみを行うことによりそのまま当該物品を出品状態へと移行させる構成としてもよい。
【００８６】
＜１．２．５  交換物品の選択モード＞
次に、図１７乃至図２４を参照しつつ、交換を希望する物品を選択するモード、すなわち、交換物品選択モードについて説明する。
【００８７】
図１７は、交換物品を選択する際の流れに関するゼネラルフローチャートである。図７に示すメニュー画面７０において、交換物品選択ボタン７２を選択すると、交換物品選択モードに関する処理（Ｓ５４）が開始し、図２１に示す交換物品選択初期画面１４０が表示されると共に、ユーザからの入力を受け付ける入力待機状態となる（Ｓ５４１ＮＯ）。
【００８８】
交換物品選択初期画面１４０は、ユーザが交換を希望する物品を検索及び選択するための画面である。交換を希望する物品の検索を行うため、交換物品選択初期画面１４０の上部には、物品をキーワードにより検索するためのキーワード検索用入力領域１４１、交換を希望する物品を物品の属するカテゴリから検索するためのカテゴリ表示領域１４２、及び、カテゴリ表示領域１４２に隣接し、カテゴリに関する選択肢を提示する選択肢表示ボタン１４３が設けられている。
【００８９】
また、交換を希望する物品の検討又は選択のため、交換物品選択初期画面１４０の下部には、交換候補物品表示領域１５３が設けられている。交換候補物品表示領域１４０の上部には、複数の項目欄、すなわち、ユーザにより各物品が選択されているか否かを示す項目である選択表示欄１４４、各物品の写真を示す項目である画像表示欄１４５、各物品に対応する評価ポイントを示すポイント表示欄１４６、出品者を示す項目である出品者表示欄１４８、各物品がいつ出品されたのかを示す時間表示欄１４９が設けられており、それらの項目に対応して、各欄の下には、各物品がユーザにより選択されたか否かを示すチェックボックス１５４、各物品の写真を表示する物品画像表示領域１５５、評価ポイントを表示する評価ポイント表示領域１５６、出品者の郵送の際の宛名を表示する出品者名称表示領域１５７、及び、各物品の出品時間（年月日）を表示する出品時間表示領域１５８が配置されている。
【００９０】
なお、ポイント表示欄１４６及び時間表示欄１４９にはそれぞれ第１のソートボタン１４７及び第２のソートボタン１５０が設けられており、それらのボタンを選択することにより、評価ポイント又は出品時間を基準に昇順又は降順にて並び替えて表示させることができる。また、交換候補物品表示領域１５３の右端には、スライド操作部１５１が設けられており、スライドバー１５２を上下に操作することによって候補となる物品を自在に選択することができる。さらに、交換物品選択初期画面１４０の最下部には、戻るボタン１５９が配置されている。
【００９１】
この交換物品選択初期画面１４０が表示された状態において、ユーザがタッチパネル等の入力部２５を備えたディスプレイ２６に触れると、当該接触に基づく入力が検出されると共に（Ｓ５４１ＹＥＳ）、当該入力内容の識別処理がなされる（Ｓ５４２）。このとき、ユーザがキーワード検索用入力領域１４１を選択したことが検出された場合、キーワード検索用入力領域１４１はアクティブとなり、所定の文字列等の入力を受け付けるキーワード受付処理が行われる（Ｓ５４３）。また、ユーザが選択肢表示ボタン１４３を選択したことが検出された場合、選択肢表示ボタン１４３の周辺にカテゴリ一覧を表示しカテゴリの選択を受け付けるカテゴリ選択処理が行われる（Ｓ５４４）。これらのキーワード受付処理（Ｓ５４３）又はカテゴリ選択処理（Ｓ５４４）において所定の確定処理が行われると、キーワード又はカテゴリに基づく検索結果を交換候補物品表示領域１５３へと表示する処理が行われる（Ｓ５４５）。
【００９２】
図１８は、検索結果表示処理の流れについて説明するフローチャートである。同図左側のフローチャートは、クライアント装置２０の処理の流れについて示し、同図右側のフローチャートは、物々交換支援サーバ１０の処理の流れについて示す。
【００９３】
まず、処理が開始すると、クライアント装置２０は、ユーザにより入力されたキーワード又はカテゴリ情報を検索リクエストと共に物々交換支援サーバ１０へと送信し（Ｓ５４５１）、その後、物々交換支援サーバ１０からの受信を待機する待機状態へと移行する（Ｓ５４５２ＮＯ）。一方、物々交換支援サーバは、通常の状態においては、検索リクエストの受信待機状態となっており（Ｓ５４５３ＮＯ）、クライアント装置２０より上述の検索リクエストを受信すると（Ｓ５４５３ＹＥＳ）、当該検索リクエストの識別処理を行う（Ｓ５４５４）。
【００９４】
検索リクエストがキーワードに基づく検索を要求するものである場合には、物々交換支援サーバ１０は、受信したキーワードに基づいて、同一又は類似の名称を有する物品の検索処理を行い（Ｓ５４５５）、検索された物品に関する物品関連情報（物品の画像データ、評価ポイント、出品者情報、出品時間等を含む）を読み出す処理を行う（Ｓ５４５６）。その後、読み出した物品関連情報はクライアント装置２０へと送信される（Ｓ５４５９）。
【００９５】
一方、検索リクエストがカテゴリに基づく検索を要求するものである場合には、物々交換支援サーバ１０は、受信したカテゴリ情報に基づいて、カテゴリ内の物品を検索し（Ｓ５４５７）、当該物品に係る物品関連情報（物品の画像データ、評価ポイント、出品者情報、出品時間等を含む）を読み出す（Ｓ５４５８）。その後、読み出した物品関連情報はクライアント装置２０へと送信される（Ｓ５４５９）。
【００９６】
クライアント装置２０は、物々交換支援サーバ２０から物品関連情報を受信すると（Ｓ５４５２ＹＥＳ）、交換候補物品表示領域１５３へと物品関連情報を表示する処理を行う（Ｓ５４６０）。以上のようにして、キーワード検索用入力領域１４１へと入力又は選択肢表示ボタン１４３を介して入力を行うことにより、例えば、図２１に示されるように、交換候補物品表示領域１５３へと物品関連情報が表示される。
【００９７】
図１７に戻り、ユーザが所定の物品に係るチェックボックス１５４を選択したことが検出されると、交換対象となる物品を選択するか否かをユーザに問いかける物品選択処理が行われる（Ｓ５４７）。
【００９８】
図１９は、物品選択処理（Ｓ５４７）の流れについて説明するフローチャートである。処理が開始すると、まず、クライアント装置２０は、選択された物品に関する詳細情報、すなわち、詳細な物品関連情報を物々交換支援サーバ１０へとリクエストし（Ｓ５４７１）、その後、詳細な物品関連情報を受信するまで待機状態となる（Ｓ５４７２）。図示しない物々交換支援サーバ１０は、詳細な物品関連情報に関するリクエストを受信すると、当該物品に関する詳細な物品関連情報をクライアント装置２０へと送信する。クライアント装置２０が物々交換支援サーバ１０から送信された詳細な物品関連情報を受信すると（Ｓ５４７２ＹＥＳ）、クライアント装置２０は、図２２に示す詳細表示画面１７０を表示して入力待機状態となりつつ（Ｓ５４７４ＮＯ）、物品関連情報を表示する処理を行う（Ｓ５４７３）。すなわち、図２２の詳細表示画面１７０上の物品名表示領域１７１には、出品者が入力した物品の名称である物品名が（同図にあっては「○○の腕時計」と表示）、カテゴリ表示領域１７２には物品の属するカテゴリが（同図にあっては「時計」と表示）、ポイント表示領域１７３には交換に必要となるポイントが（同図にあっては１００ｐｔ（ポイント）と表示）、物品画像表示領域１７４には物品の画像が（同図にあっては腕時計が表示）表示されている。これらの詳細情報により、ユーザは選択した物品に対して実際に交換希望を行うか否か慎重に検討することができる。
【００９９】
また、詳細表示画面１７０の下方には、交換希望ボタン１７５、及び、戻るボタン１７６が設けられている。詳細表示画面１７０が表示されている状態において、ユーザが、戻るボタンを選択したことが検出されると（Ｓ５４７４ＹＥＳ、Ｓ５４７５）、詳細表示画面１７０を終了して、再び交換物品選択初期画面１４０を表示する処理が行われる（Ｓ５４７８）。一方、ユーザが交換希望ボタン１７５を選択したことが検出されると（Ｓ５４７４ＹＥＳ、Ｓ５４７５）、交換物品選択処理が行われる（Ｓ５４７６）。
【０１００】
図２０は、交換物品選択処理の詳細について示すフローチャートである。処理が開始すると、クライアント装置２０は、物々交換支援サーバ１０へと、自らがこれまでに出品を行った物品の物品関連情報をリクエストし（Ｓ５４７６１）、物品関連情報を受信するまで待機状態となる（Ｓ５４７６２ＮＯ）。図示しない物々交換支援サーバ１０は、当該リクエストを受信すると、当該ユーザがこれまでに出品を行っている物品の物品関連情報を検索して、クライアント装置２０へと送信する。クライアント装置が、物々交換支援サーバ１０から、ユーザがこれまでに出品を行った物品に関する物品関連情報を受信すると（Ｓ５４７６２ＹＥＳ）、自らがこれまでに出品を行った物品に関する物品関連情報と、交換を希望する物品に関する物品関連情報とを合わせて表示する交換物品選択画面１８０が表示され（Ｓ５４７６３）、その後入力待機状態となる（Ｓ５４７６４ＮＯ）。
【０１０１】
図２３に、交換物品選択画面１８０が示されている。交換物品選択画面１８０の上部には、交換を希望する物品に関する情報を表示する領域である交換希望物品情報表示領域１８１が配置され、交換物品選択画面１８０の下部には、現在までにユーザが出品している物品に関する情報を表示する領域であるユーザ出品情報表示領域１８２が配置されている。
【０１０２】
同図から明らかな通り、交換希望物品情報表示領域１８１には、交換を希望する物品に関する画像データ表示領域１８３、交換に必要なポイントを表示するポイント表示領域１８４、及び、交換に必要なポイントから自らが交換対象物品として指定した物品の評価ポイントの総和を差し引いて算出された残りポイントを示す残りポイント表示領域１８５とを含んでいる。同図の場合にあっては、写真で示される腕時計を交換するには、１００ポイント相当の物品が必要であり、あと１００ポイント相当の物品を交換対象として選択すべきことが看取される。
【０１０３】
同図から明らかな通り、ユーザ出品情報表示領域１８２には、出品中の物品の総出品数を表示する出品数表示領域１８６、交換対象物品として設定するか否かを設定するための選択ボタン１８７、出品した物品に関する画像を表示する画像表示領域１８８、出品した物品に関し自らが設定した評価ポイントを表示する評価ポイント表示領域１８９、物品名を表示する物品名表示領域１９０、現在保有している後述の物々交換ポイントについて表示する物々交換ポイント表示領域１９１、物品の交換に代えて又は物々交換と共に用いられる物々交換ポイントを入力するための物々交換ポイント入力領域１９２、相手方に取引を申請する際に選択する取引申請ボタン１９３、及び、戻るボタン１９４が配置されている。同図の場合にあっては、１００ポイントの評価ポイントを有する老眼鏡を交換対象物品として選択可能な状態にある。
【０１０４】
交換物品選択画面１８０が表示されている状態において、ユーザがタッチパネル等の入力部２５を備えたディスプレイ２６に触れると、当該接触に基づく入力が検出されると共に（Ｓ５４７６４ＹＥＳ）、当該入力内容の識別処理がなされる（Ｓ５４７６５）。このとき、ユーザが選択ボタン１８７に触れたことが検出された場合、ユーザは、選択された物品が交換対象物品として選択・追加されると共に（Ｓ５４７６６）、当該選択された物品の評価ポイントが申請者側の総ポイントに加算されることとなる（Ｓ５４７６７）。その後、交換希望物品に係る評価ポイントから前記総ポイントを減算することで、残りポイント表示領域１８５には、あとどれだけ自己の物品を選択する必要があるかが表示されることとなる（Ｓ５４７７２）。例えば、図２３の例にあっては、ユーザが選択ボタン１８７を選択すると、合計１００ポイント相当の物品を交換対象の物品として選択することとなる。また、交換希望物品に係る評価ポイントは１００ポイントである。そのため、残りポイント表示領域１８５には、１００ポイントから１００ポイントを減算した０ポイントの表示がなされることとなる。
【０１０５】
なお、交換対象物品の選択後に再度選択ボタン１８７選択することで、交換対象物品の取下処理を行うこともできる（Ｓ５４７６８）。このとき、一旦選択したことによって総ポイントに加算されていた評価ポイントは、当該取下げに係る物品に係るポイント分、再び減算され（Ｓ５４７６９）、それに伴い、残りポイント表示領域１８５の表示も変更される（Ｓ５４７７２）。例えば、図２３の例にあっては、一旦１００ポイントの物品を交換対象物品として選択したことから、残りポイント表示領域１８５に残り０ポイントとして表示された場合であっても、再び選択ボタン１８７を選択することで、残りポイント表示領域１８５には再び残り１００ポイントの表示がなされる。
【０１０６】
また、ユーザが物々交換ポイント入力領域１９２に触れたことが検出された場合、使用する物々交換ポイントに関する数値の入力受付処理が開始される（Ｓ５４７７０）。その後、物々交換ポイント入力領域１９２へと保有する物々交換ポイントのうち、今回使用するポイントに相当する数値を入力することで、上述の総ポイントに入力した数値分の加算処理（マイナスの数値の場合には減算処理）が行われると同時に（Ｓ５４７７１）、残りポイント表示領域１８５の表示が変更される（Ｓ５４７７２）。本実施形態においては、各ユーザ毎に物々交換支援サーバ上に保有物々交換ポイントが記憶され、物品に代えて又は物品と共に物々交換ポイントを用いて取引を行うこともできる。例えば、ユーザが物々交換ポイントを１００ポイント保有している場合、図中の１００ポイント相当の老眼鏡に代えて物々交換ポイント入力領域１９２へと１００ポイントと入力することで１００ポイント相当の腕時計と等価交換を行うことができる。
【０１０７】
ユーザが、取引申請ボタン１９３に触れたことが検出されると、希望する交換条件を決定する取引内容決定処理が行われる（Ｓ５４７７３）。その後、取引内容確認画面２００をクライアント装置２０へと表示する処理がなされる（Ｓ５４７７４）。
【０１０８】
図２４は、取引内容確認画面２００を示している。同画面の上段左部には、自らが提供する物品に関する提供物品画像表示領域２０１及び提供物品の評価ポイント表示領域２０２が表示され、一方、矢印を挟んで同画面の上段右部には、交換を希望する物品に関する交換希望物品画像表示領域２０３及び交換希望物品の評価ポイント表示領域２０４が表示されている。また、取引内容確認画面２００の中央下部には、取引提案者が現在保有する物々交換ポイントを表示する表示領域２０５、及びそのさらに下には取引後に取引提案者が保有することとなる物々交換ポイントを表示する取引後ポイント表示領域２０６が設けられている。また、最下部には、物々交換取引の完了を提示する取引完了メッセージ２０７が表示される。このような画面を確認することで、取引提案者は自らが提供する物品とその評価ポイント、交換希望物品とその評価ポイント、取引前後における自らの物々交換ポイントの状況を一目で把握することができる。
【０１０９】
図２０に戻り、図２３に示した交換物品選択画面１８０において、ユーザが同画面右下の戻るボタン１９４を選択すると、前段の画面へと戻る処理、すなわち詳細表示画面１７０を再度表示する処理がなされる（Ｓ５４７７５）。
【０１１０】
上述の構成によれば、出品された物品には出品者により任意の評価ポイントが設定されていることから、物々交換支援システムの利用者らは、互いの物品に対する評価ポイントを確認しつつ取引を検討することができる。従って、物々交換取引を行うにあたっての利用者らの判断負担が軽減され、また、利用者らは物々交換取引を行う上であってもある程度の等価な物品の交換を期待することができる。
【０１１１】
＜１．２．６  取引状況確認モード＞
次に、図２５乃至図３１を参照しつつ、取引状況確認モード及び提案取引の受諾処理について説明する。
【０１１２】
取引状況確認モードは、メニュー画面７０において取引状況確認ボタン７３を選択することにより開始する（Ｓ５１ＹＥＳ、Ｓ５２、Ｓ５５）。なお、自らの出品した物品に対して他のユーザから物々交換取引の申請がなされている場合には、メニュー画面７０の表示の際に割込処理がなされ、図２７に示すように取引状況確認ボタン７３の右上に「新着あり」との新着情報通知表示７８が提示される。このような表示によれば、自らが出品した物品に対する交換取引希望の存在を即座にユーザに知らせることができる。
【０１１３】
図２５は、取引状況確認モード処理（Ｓ５５）に関するゼネラルフローチャートである。処理が開始すると、まず、クライアント装置２０は、物々交換支援サーバ１０へと物々交換取引申請がなされた物品及び当該物品と交換される物品に関する物品関連情報のリクエスト処理を行い（Ｓ５５１）、入力待機状態となる（Ｓ５５１ＮＯ）。物々交換支援サーバ１０は、当該リクエストを受信すると、該当する物品に関する物品関連情報をクライアント装置２０へと送信する。クライアント装置２０は、物々交換支援サーバ１０から上記物品に係る物品関連情報を受信すると（Ｓ５５２ＹＥＳ）、交換希望確認画面２２０を表示すると共に受信した物品関連情報を表示する処理を行う（Ｓ５５３）。なお、交換希望確認画面２２０の表示後は、入力待機状態となる（Ｓ５５４ＮＯ）。
【０１１４】
図２８に、交換希望確認画面２２０の詳細が示されている。取引状況確認画面２２０には、自らが取引申請を行った取引又は他のユーザから取引申請があった取引の両方が表示されている。交換希望確認画面２２０の最上部には、取引件数表示領域２２１が設けられており、同図においては、全部で２件の取引が現在検討段階にあることが示されている。取引件数表示領域２２１の直下には、現在の取引状況を示す状態項目欄２２２、取引の概要を示す取引概要項目欄２２３、取引申請を行った又は取引申請が行われた日時について示す日時項目欄２２４が示されており、各項目欄の下には対応する物品関連情報が表示されている。各項目欄の下には、他のユーザにより交換希望がなされている取引に関する第１の取引項目２２５が上段に、自らが他のユーザに対して取引申請を行っている取引に関する第２の取引項目２２６が下段に表示されている。第１の取引項目２２５は、左から、「交換希望あり」との表示と詳細表示ボタンとを含む状態表示欄２２７、自分が出品した物品に関する画像表示領域２２８、当該物品に係る評価ポイント表示領域２２９、相手方が交換を希望する物品に関する画像表示領域２３０、及び、その評価ポイント表示領域２３１を含む取引概要欄２４０、及び、取引申請が行われた日時について示す日時欄２３２を含んでいる。また、第２の取引項目２２６は、左から、「申請中」との表示を含む状態表示欄２３３、自分が出品した物品に関する画像表示領域２３４、当該物品に係る評価ポイント表示領域２３５、相手方が交換を希望する物品に関する画像表示領域２３６、及び、その評価ポイント表示領域２３７を含む取引概要欄２４１、及び、取引申請を行った日時について示す日時欄２３８を含んでいる。
【０１１５】
交換希望確認画面２２０が表示された状態において、ユーザがタッチパネル等の入力部２５を備えたディスプレイ２６に触れると、当該接触に基づく入力が検出されると共に（Ｓ５５４ＹＥＳ）、当該入力内容の識別処理がなされる（Ｓ５５５）。ユーザにより戻るボタン２３９が選択されたことが検出された場合、メニュー画面７０を表示する処理が行われ（Ｓ５５８）、処理が終了する。一方、状態表示欄２２７の「詳細」の文字領域が選択されたことが検出された場合、取引受諾処理（Ｓ５５６）が開始する。
図２６は、取引受諾処理（Ｓ５５６）の流れについて説明するフローチャートである。処理が開始すると、物々交換取引に関連する物品の物品関連情報に基づいて取引詳細画面２５０の表示処理がなされ（Ｓ５５６１）、その後、入力待機状態となる（Ｓ５５６２ＮＯ）。
【０１１６】
図２９は、取引詳細画面２５０について示している。取引詳細画面２５０の左上の領域には、自分が提供する物品に関する画像表示領域２５１及び同物品に関する評価ポイント表示領域２５２が設けられている。一方、両方向の矢印を挟んで、取引詳細画面２５０の右上の領域には、相手方から受領することとなる物品に関する情報の表示領域が設けられている。具体的には、相手方から受領することとなる物品の物品名を表示する物品名表示領域２５３、同物品に関するカテゴリを表示するカテゴリ表示領域２５４、同物品に係る評価ポイントを表示する評価ポイント表示領域２５５、同物品に係る画像情報を表示する画像表示領域２５６が設けられている。なお、画像表示領域２５６の右下には拡大表示ボタン２５７が配置されており、同ボタンを選択することで、画像表示領域２５６に表示された画像が拡大表示されることとなる。
【０１１７】
上記物品関連情報に関する表示領域の下には、現在ユーザが保有している物々交換ポイントを表示する保有ポイント表示領域２５８が設けられ、そのさらに下側には取引後にユーザが保有することとなる物々交換ポイントが表示される取引後ポイント表示領域２５９が設けられている。すなわち、ユーザは自己が現在どれだけの物々交換ポイントを保有しているかと、取引後にどれだけの物々交換ポイントを保有することとなるのかを一目で把握することができる。
【０１１８】
また、物々交換ポイントに関する表示領域の下には、「上記の物々交換取引申請を受諾しますか？」との文言が配置され、その下には、受諾ボタン２６０及び拒絶ボタン２６１が隣り合って配置されている。
【０１１９】
なお、図２９に例示した物々交換取引においては、１００ポイントの評価ポイントの物品同士を交換していることから、本来は保有する物々交換ポイントに変化は無いはずである。しかしながら、この例にあっては、５０ポイント保有していた物々交換ポイントが取引後には４７ポイントとなっている。これは、本実施形態においては、取引を行うと所定の評価ポイント分、すなわち本例にあっては３ポイントが物々交換支援システム１の運営者へと移転したことによるものである。
【０１２０】
このような構成によれば、物々交換取引が成立する度に、物々交換支援システムの運用者に対して、物々交換ポイントを付与することができるので、物々交換支援システムに対して投資を行った運用者に対する適切な利益配分を行うことができる。なお、物々交換支援システム１の運用者自身も本物々交換支援市場への参加者であるので、運用者はポイントを用いて種々の物品と交換することなどもできる。また、この運用者に対する物々交換ポイントの付与は、取引毎に常に一定（例えば、１取引当たり常に３ポイントなど）であってもよいし、所定の割合（例えば、交換対象となるいずれかの物品の評価ポイントの３％など）で行われてもよいし、また、その両方を採用してもよい（例えば、交換対象となるいずれかの物品の評価ポイントが所定値までは一定（３ポイント）であり、当該所定値を超えた場合には、評価ポイントの３％など）。
【０１２１】
図２６に戻り、ユーザがタッチパネル等の入力部２５を備えたディスプレイ２６に触れると、当該接触に基づく入力が検出されると共に（Ｓ５５６２ＹＥＳ）、当該入力内容の識別処理がなされる（Ｓ５５６３）。
【０１２２】
ユーザにより戻るボタン２６２が選択されたことが検出された場合、処理は終了し、図２８に示す交換希望確認画面２２０が再び表示されることとなる。
【０１２３】
また、ユーザにより拒絶ボタン２６１が選択されたことが検出された場合、当該物々交換取引の不成立を示すフラグをＯＮにすると共に、取引が拒絶された旨を取引の相手方へと通知する拒絶処理がなされる（Ｓ５５６７）。
【０１２４】
さらに、ユーザにより受諾ボタン２６０が選択されたことが検出されると、取引を受諾することにより取引成立フラグをＯＮにすると共に、相手方に取引成立を通知する受諾処理が行われる（Ｓ５５６４）。その後、受諾者側の画面に取引成立画面２９０を表示させる処理が行われ（Ｓ５５６５）、同取引成立画面２９０は所定の入力があるまで表示される。
【０１２５】
図３０（ｂ）は、取引成立時に受諾者側に表示される取引成立画面２９０について示している。取引成立画面２９０の上部には、物品の郵送をユーザへと指示するメッセージを表示するメッセージ表示領域２９１が設けられ、その下には「郵送する物品」との項目表示２９２と共に、自らが郵送すべき物品の物品名表示領域２９３と、物品画像表示領域２９４とが設けられている。また、取引成立画面２９０の下部には、「郵送先住所」との項目表示２９５と共に、送り先となる宛名情報について示す宛名表示領域２９６と住所情報について示す住所表示領域２９７とが設けられている。さらに、取引成立画面２９０の最下段には、郵送完了後は、後述の取引完了ボタン２４２を選択することを促す指示表示領域２９８が設けられている。すなわち、同取引成立画面２９０を介して、取引を受諾したユーザは、取引が成立したこと、成立した取引に係る物品を郵送すべきこと、郵送先情報等に関して一目で把握することができる。
【０１２６】
なお、取引が成立した場合、取引提案者にも、取引状況確認モードを介して、取引成立画面２７０が提示される。図３０（ａ）は、取引成立時に取引提案者側に表示される取引成立画面２７０について示している。取引成立画面２７０の上部には、物品の郵送をユーザへと指示するメッセージを表示するメッセージ表示領域２７１が設けられ、その下には「郵送する物品」との項目表示２７２と共に、自らが郵送すべき物品の物品名表示領域２７３と、物品画像表示領域２７４とが設けられている。また、取引成立画面２７０の下部には、「郵送先住所」との項目表示２７５と共に、送り先となる宛名情報について示す宛名表示領域２７６と住所情報について示す住所表示領域２７７とが設けられている。さらに、取引成立画面２７０の最下段には、郵送完了後は、後述の取引完了ボタン２４２を選択することを促す指示表示領域２７８が設けられている。すなわち、同取引成立画面２７０を介して、取引を提案したユーザは、取引が成立したこと、成立した取引に係る物品を郵送すべきこと、郵送先情報等に関して一目で把握することができる。
【０１２７】
取引成立画面２７０が表示された後、所定の入力がなされると、再び、交換希望確認画面２２０が表示されるが、取引成立前と異なり状態表示欄２２７には取引完了ボタン２４２が表示される。この取引完了ボタン２４２は、互いに郵送を行い物品を受領した後に選択されるもので、取引が終了したことを確認するものである。すなわち、取引完了ボタン２４２の表示後は、取引完了ボタンが双方から選択されるのを待機する処理が行われる（Ｓ５５６６）。なお、この取引完了ボタン２４２が取引提案者及び取引受諾者の双方から選択されて初めて、物々交換ポイントの移動等が行われることとなる。
【０１２８】
＜１．２．７  ポイント確認モード＞
次に、図３２及び図３３を参照しつつ、ポイント確認モードに関して説明する。メニュー画面７０において取引状況確認ボタン７３を選択すると、上述のポイント確認モード処理（Ｓ５６）が開始する。
【０１２９】
図３２は、ポイント確認モード処理の流れについて示すフローチャートである。処理が開始すると、クライアント装置２０は、ユーザの保有する物々交換ポイントに関する情報を得るため、物々交換支援サーバ１０へとリクエストを送信し（Ｓ５６１）、情報を受信するまで待機状態となる（Ｓ５６２ＮＯ）。物々交換支援サーバ１０は、当該リクエストを受信すると、リクエストを行ったユーザの保有する物々交換ポイントに関する情報を記憶部２２から読み出し、物々交換ポイントに相当する情報を送信する。クライアント装置２０が物々交換ポイントに相当する情報を受信すると（Ｓ５６２ＹＥＳ）、物々交換ポイント確認画面３１０の表示処理が行われ（Ｓ５６３）、入力待機状態となる（Ｓ５６４ＮＯ）。
【０１３０】
図３３は、物々交換ポイント確認画面３１０について示している。同画面の上部には、現在までに保有する物々交換ポイントを表示する物々交換ポイント表示領域３１１が設けられ、一方、画面下部の左側には、物々交換ポイントを他のシステムのポイントへと変換申請を行うためのポイント変換申請ボタン３１２が、画面下部の右側には、航空マイルへの変換申請を行うためのマイル変換申請ボタン３１３が表示されている。また、最下部には戻るボタン３１４が設けられている。なお、同図の例にあっては、現在の保有ポイントが０ポイントと表示されている。
【０１３１】
物々交換ポイント確認画面３１０が表示されている状態において、ユーザがタッチパネル等の入力部２５を備えたディスプレイ２６に触れると、当該接触に基づく入力が検出されると共に（Ｓ５６４ＹＥＳ）、当該入力内容の識別処理がなされる（Ｓ５６５）。
【０１３２】
ユーザにより戻るボタン３１４が選択されたことが検出された場合、処理は終了し、再びメニュー画面７０が表示されることとなる。
【０１３３】
また、ユーザにより、ポイント変換処理ボタン３１２が選択されたことが検出されると、他のシステムへのポイントへと変換する処理がなされる（Ｓ５６６）。具体的には、例えば、他の提携システムへとユーザ情報と変換対象となる物々交換ポイント情報とを送信し、所定の変換比率に応じて他の提携システムのポイントへと変換する処理を行う。なお、ポイントの変換処理は本実施形態に係る物々交換支援システム１内にて行った後他の提携システムへと送信する形態でも良いし、他の提携システム内にて行った後物々交換支援システム１０へと送信される形態でも良い。
【０１３４】
一方、ユーザにより、マイル変換申請ボタン３１２が選択されたことが検出されると、物々交換ポイントを航空会社等の発行するマイルへと変換する処理が行われる（Ｓ５６７）。具体的には、例えば、ユーザ情報と変換対象となる物々交換ポイント情報とを、航空会社等の提供する提携システムへと送信し、所定の変換比率に応じて、所定量のマイルへと変換する処理を行う。なお、マイルへの変換処理は本実施形態に係る物々交換支援システム１内にて行われても良いし、航空会社等のシステム内にて行われても良い。
【０１３５】
以上の構成によれば、物々交換支援システム１のユーザは、物々交換取引を介して得られた物々交換ポイントを蓄積して、他のシステムのポイントやマイルへと変換することができる。
【０１３６】
＜１．３  他の取引例＞
上述の例においては、１００ポイントの評価ポイントを有する老眼鏡と１００ポイントの評価ポイントを有する腕時計のように、同一の評価ポイントを有する物同士を交換する取引について説明した。しかしながら、本発明に係る物々交換支援システム１上の取引は、このような同一ポイント同士の交換に限定されることはなく、例えば、評価ポイントに差がある物品同士を交換してもよいし、物品と物々交換ポイントとを組み合わせて取引を行ってもよいし、また、物々交換ポイントと物とを交換してもよい。図３４乃至図３７を参照しつつ、他の取引例について説明する。
【０１３７】
（取引例１）
図３４は、評価ポイントに差のある物品同士を交換するＡさんとＢさんとの間の取引について示す説明図（その１）である。上段は取引前の状態、下段は取引後の状態について示している。取引前の初期状態において、Ａは、１００ポイントの評価ポイントである「眼鏡」を有しているものの、物々交換ポイントは有していない。一方、取引前の初期状態において、Ｂは、４０ポイントの評価ポイントである「ペン」を有しており、かつ５０ポイントの物々交換ポイントを有している。
【０１３８】
この状態において、Ａが物々交換取引を提案し、Ｂが当該取引を受諾したとすると、取引後の両者の状態は同図下段の通りとなる。すなわち、Ａの元には４０ポイント相当の「ペン」が移動し、一方、Ｂの元には１００ポイント相当の「眼鏡」が移動する。ここで、Ａは１００ポイント相当の物品を出品して４０ポイント相当の物品を得ており、謂わば６０ポイント分の損な取引を行っていることとなる。従って、この損な取引の調整を行うように、Ａの物々交換ポイントは元々保有していた０ポイントへ６０ポイント分だけ加算されることとなる（その結果、＋６０ポイントとなる）。一方、Ｂは４０ポイント相当の物品を出品して１００ポイント相当の物品を得ており、謂わば６０ポイント分の得な取引を行っていることとなる。従って、この得な取引の調整を行うように、Ｂの物々交換ポイントは、元々保有していた５０ポイントから６０ポイント分だけ減算されることとなる（その結果、−１０ポイントとなる）。なお、取引が成立すると、両者から１取引当たり３ポイントずつ物々交換支援システム１の運営者へと物々交換ポイントが移動するため、両者の物々交換ポイントからは３ポイントずつ減算される。以上より、最終的にＡの物々交換ポイントは５７ポイント、Ｂの物々交換ポイントは−１３ポイントとなる。
【０１３９】
このように、評価に差のある物品間の物々交換取引を行う場合であっても、利用者の物々交換ポイントの増減を行うことにより全体として取引の均衡を図ることができる。
【０１４０】
（取引例２）
図３５は、評価ポイントに差のある物品同士を交換するＡさんとＢさんとの間の取引について示す説明図（その２）である。上段は取引前の状態、下段は取引後の状態について示している。取引前の初期状態において、Ａは、４０ポイントの評価ポイントである「ペン」を有しているものの、物々交換ポイントは有していない。一方、取引前の初期状態において、Ｂは、１００ポイントの評価ポイントである「眼鏡」を有しており、かつ５０ポイントの物々交換ポイントを有している。
【０１４１】
この状態において、Ａが物々交換取引を提案し、Ｂが当該取引を受諾したとすると、取引後の両者の状態は同図下段の通りとなる。すなわち、Ａの元には１００ポイント相当の「眼鏡」が移動し、一方、Ｂの元には４０ポイント相当の「ペン」が移動する。ここで、Ａは４０ポイント相当の物品を出品して１００ポイント相当の物品を得ており、謂わば６０ポイント分の得な取引を行っていることとなる。従って、この得な取引の調整を行うように、Ａの物々交換ポイントは元々保有していた０ポイントから６０ポイント分だけ減算されることとなる（その結果、−６０ポイントとなる）。一方、Ｂは１００ポイント相当の物品を出品して４０ポイント相当の物品を得ており、謂わば６０ポイント分の損な取引を行っていることとなる。従って、この損な取引の調整を行うように、Ｂの物々交換ポイントは、元々保有していた５０ポイントへ６０ポイント分だけ加算されることとなる（その結果、＋１１０ポイントとなる）。なお、取引が成立すると、両者とも、１取引当たり３ポイントずつ物々交換支援システム１の運営者へと物々交換ポイントが移動するため、両者の物々交換ポイントからは３ポイントずつ減算される。以上より、最終的にＡの物々交換ポイントは−６３ポイント、Ｂの物々交換ポイントは１０７ポイントとなる。
【０１４２】
なお、本取引例のＡのように評価の低い物品を出品しつつ評価の高い物品と交換を行う内容の物々交換取引を繰り返すユーザも現れる可能性がある。従って、物々交換支援サーバ１０は、各ユーザの取引行動を監視してもよい。
【０１４３】
例えば、そのような物々交換ポイントがマイナスとなるような取引ばかりを繰り返す者に対して、所定期間内（例えば１週間以内など）又は所定取引内（例えば将来の３回の取引内など）に前記物々交換ポイントを所定値以上（例えば、０以上）とするようディスプレイ上に促す表示を行ってもよい。このような構成によれば、評価の低い物品を出品しつつ評価の高い物品と交換を行う内容の物々交換取引を繰り返すユーザに対して注意喚起を行うことができる。
【０１４４】
或いは、物々交換支援サーバ１０は、それ以上のマイナス取引を許さないよう取引に制限をかけてもよい。このような構成によれば、評価の低い物品を出品しつつ評価の高い物品と交換を行う内容の物々交換取引を繰り返すユーザによる、それ以上の不適当な物々交換取引を防止することができる。
【０１４５】
さらに悪質な場合には、物々交換支援サーバ１０は、物々交換ポイントが所定値以下（例えば、−５０以下など）の場合には、それ以上の物々交換取引を禁止してもよい。このような構成によれば、評価の低い物品を出品しつつ評価の高い物品と交換を行う内容の物々交換取引を繰り返すユーザを物々交換取引市場から排除することができる。
【０１４６】
（取引例３）
図３６は、評価ポイントに差のある物品同士を交換すると共に物々交換ポイントも併せて使用しようとするＡさんとＢさんとの間の取引について示す説明図（その３）である。上段は取引前の状態、下段は取引後の状態について示している。取引前の初期状態において、Ａは、１００ポイントの評価ポイントである「眼鏡」を有しており、物々交換ポイントも５０ポイント有している。一方、取引前の初期状態において、Ｂは、１５０ポイントの評価ポイントである「テレビ」を有しており、かつ５０ポイントの物々交換ポイントを有している。
【０１４７】
この状態において、Ａの保有する１００ポイント相当の「眼鏡」と５０ポイント分の物々交換ポイントと、Ｂが保有する１５０ポイント相当の「テレビ」とを交換する取引が成立した場合、取引後の両者の状態は同図下段の通りとなる。すなわち、Ａの元には１５０ポイント相当の「テレビ」が移動し、一方、Ｂの元には１００ポイント相当の「眼鏡」が移動する。ここで、Ａは１００ポイント相当の物品と５０ポイントの物々交換ポイント、すなわち合計１５０ポイント相当の物品及び物々交換ポイントを交換対象とし、１５０ポイントの「テレビ」を得ている。従って、この場合、取引対象物の価値は釣り合っているので、Ａの物々交換ポイントは、元々保有した５０ポイントから使用した５０ポイント分だけ減算されるのみである（その結果、０ポイントとなる）。一方、Ｂは１５０ポイント相当の物品を交換対象として１００ポイントの「眼鏡」と５０ポイントの物々交換ポイントを得ている。従って、この場合、取引対象物の価値は釣り合っているので、Ｂの物々交換ポイントは、元々保有していた５０ポイントに受領した５０ポイント分だけ加算されるのみである（その結果、１００ポイントとなる）。なお、取引が成立すると、両者とも、１取引当たり３ポイントずつ物々交換支援システム１の運営者へと物々交換ポイントが移動するため、両者の物々交換ポイントからは３ポイントずつ減算される。以上より、最終的にＡの物々交換ポイントは−３ポイント、Ｂの物々交換ポイントは９７ポイントとなる。
【０１４８】
このような構成によれば、物々交換ポイントを利用して取引が出来るので、評価が自身の出品した物品よりも低い物品と取引を行うことで物々交換ポイントを得た後でも、その後、当該物々交換ポイントを利用して他の物品と交換することができる。また、その逆も同様である。すなわち、全体として等価な取引、或いは取引の均衡を図ることができる。
【０１４９】
（取引例４）
図３７は、評価ポイントに差のある物品同士を交換すると共に物々交換ポイントも併せて使用しようとするＡさんとＢさんとの間の取引について示す説明図（その４）である。上段は取引前の状態、下段は取引後の状態について示している。取引前の初期状態において、Ａは、１５０ポイントの評価ポイントである「テレビ」を有しており、物々交換ポイントは−５０ポイント有している。一方、取引前の初期状態において、Ｂは、１００ポイントの評価ポイントである「眼鏡」を有しており、かつ５０ポイントの物々交換ポイントを有している。
【０１５０】
この状態において、Ａの保有する１５０ポイント相当の「テレビ」と−５０ポイント分の物々交換ポイントと、Ｂが保有する１００ポイント相当の「眼鏡」とを交換する取引が成立した場合、取引後の両者の状態は同図下段の通りとなる。すなわち、Ａの元には１００ポイント相当の「眼鏡」が移動し、一方、Ｂの元には１５０ポイント相当の「テレビ」が移動する。ここで、Ａは１５０ポイント相当の物品と−５０ポイントの物々交換ポイント、すなわち合計１００ポイント相当の物品及び物々交換ポイントを交換対象とし、１００ポイントの「眼鏡」を得ている。従って、この場合、取引対象物の価値は釣り合っているので、Ａの物々交換ポイントは、元々保有した−５０ポイントから使用した５０ポイント分だけ加算されるのみである（その結果、０ポイントとなる）。一方、Ｂは１００ポイント相当の物品を交換対象として１５０ポイントの「テレビ」と−５０ポイントの物々交換ポイントを得ている。従って、この場合、取引対象物の価値は釣り合っているので、Ｂの物々交換ポイントは、元々保有していた５０ポイントに受領した−５０ポイント分だけ加算されるのみである（その結果、０ポイントとなる）。なお、取引が成立すると、両者とも、１取引当たり３ポイントずつ物々交換支援システム１の運営者へと物々交換ポイントが移動するため、両者の物々交換ポイントからは３ポイントずつ減算される。以上より、最終的にＡの物々交換ポイントは−３ポイント、Ｂの物々交換ポイントは−３ポイントとなる。
【０１５１】
以上示したように、マイナスの物々交換ポイントを利用して取引を行うことも可能である。
【０１５２】
＜１．４  その他＞
物々交換支援サーバ１０は、物々交換支援サーバ上で行われたすべての取引、特に成立した取引については、取引ログ（取引履歴情報）として記憶部２２或いは外部記憶装置へと蓄積・記憶してもよい。このような情報を謂わばビッグデータとして蓄積する構成によれば、運用者等は、どのような物品がどのような条件で取引されているかといった点について分析等を行うことができる。
【０１５３】
また、物々交換支援サーバ１０は、蓄積された取引ログを積極的に活用してもよい。例えば、ユーザのこれまでの取引行動を分析して、興味のありそうな物品に関する広告等を上述の各種画面上に出しても良い。このような構成によれば、よりターゲットの絞られた、或いは、よりユーザの興味等に沿った適確な広告を行うことができる。
【０１５４】
＜２．第２の実施形態（国保連への請求仲介サーバとの連携）＞
第１の実施形態に係る物々交換支援システム１は、インターネットを利用した独立のシステムとして例示した。しかしながら、本発明に係る物々交換支援システムは、他の種々のシステムと連携することも可能である。例えば、物々交換を希望する可能性のあるユーザを数多く有する既存のインターネットサービスやシステムと連携を行えば、物々交換支援システムの有用性がさらに向上する。
【０１５５】
図３８は、物々交換支援システムを、介護事業所等から国民健康保険団体連合会（以下、国保連という）への介護費用請求を仲介する請求仲介システムと連携又は統合させた連携システム３５０の全体像について説明する図である。介護保険制度における給付を得るため、介護事業者等は国保連へと給付データを国保連サーバへと伝送する必要がある。しかしながら、この給付データの管理や伝送は煩雑であり、近年では介護事業者等から国保連サーバへの給付データの伝送や管理を仲介するインターネットサービス（特に、ＡＳＰ型サービス）が普及している。このような介護事業など特定の業界との結びつきが強いインターネットサービスと連携を行うと、当該特定業界で必要とされる特定分野の物品の交換が促進されるので、利用者にとっては非常に有用となる。
【０１５６】
図３８において、複数の介護事業所の端末３５４は、インターネットを介して国保連への請求を仲介する請求仲介サーバ３５２と接続されている。請求仲介サーバ３５２は、国保連サーバ３５１とＶＰＮ（バーチャル・プライベート・ネットワーク）接続されており、国保連サーバ３５１との間で給付データ等をセキュアな環境で送受信する。請求仲介サーバ３５２は、物々交換支援サーバ３５３と接続・連携しており、各介護事業所に対して、請求仲介サーバ３５２を介して、物々交換支援システムを提供することができる。従って、例えば、各介護事業所は、不要な介護用品や使わなくなった介護用品を他の介護事業所と交換すること等ができる。
【０１５７】
なお、物々交換支援システムの動作は、第１の実施形態に記載したものと略同一であるため、ここでは説明を省略する。しかしながら、本実施形態においては物々交換支援サーバ３５３が請求仲介サーバ３５２と連携していることから、例えば、第１の実施形態における情報登録の取得処理に代えて、請求仲介サーバ３５２から所定の事業者情報又は利用者情報（例えば、介護保険情報等）を取得し、より信用度の高いユーザ間で簡便に物々交換支援システムを利用できるように構成してもよい。また、請求仲介サーバ３５２に係る請求仲介システムへとログインしたことをもって物々交換支援システムへとログインしたこととするような構成としてもよい。
【産業上の利用可能性】
【０１５８】
本発明によれば、物々交換支援システムを提供することができ、例えばインターネットサービスの分野等で利用可能である。
【符号の説明】
【０１５９】
１  物々交換支援システム
１０  物々交換支援サーバ
１１  制御部
１２  記憶部
１３  通信部
２０  クライアント装置
２１  制御部
２２  記憶部
２３  通信部
２４  スピーカ
２５  入力部
２６  ディスプレイ
２７  カメラ
３０  情報登録画面
５０  ログイン画面
７０  メニュー画面
９０  物品登録画面
１００  物品登録画面
１３０  出品確認画面表示領域
１４０  交換物品選択初期画面
１７０  詳細表示画面
１８０  交換物品選択画面
２００  取引内容確認画面
２２０  交換希望確認画面
２５０  取引詳細画面
２７０  取引成立画面
２９０  取引成立画面
３５０  連携システム
３５１  国保連サーバ
３５２  請求仲介サーバ
３５３  物々交換支援サーバ
３５４  事業所端末
【図１】
2017220212.tif 000003
【図２】
2017220212.tif 000004
【図３】
2017220212.tif 000005
【図４】
2017220212.tif 000006
【図５】
2017220212.tif 000007
【図６】
2017220212.tif 000008
【図７】
2017220212.tif 000009
【図８】
2017220212.tif 000010
【図９】
2017220212.tif 000011
【図１０】
2017220212.tif 000012
【図１１】
2017220212.tif 000013
【図１２】
2017220212.tif 000014
【図１３】
2017220212.tif 000015
【図１４】
2017220212.tif 000016
【図１５】
2017220212.tif 000017
【図１６】
2017220212.tif 000018
【図１７】
2017220212.tif 000019
【図１８】
2017220212.tif 000020
【図１９】
2017220212.tif 000021
【図２０】
2017220212.tif 000022
【図２１】
2017220212.tif 000023
【図２２】
2017220212.tif 000024
【図２３】
2017220212.tif 000025
【図２４】
2017220212.tif 000026
【図２５】
2017220212.tif 000027
【図２６】
2017220212.tif 000028
【図２７】
2017220212.tif 000029
【図２８】
2017220212.tif 000030
【図２９】
2017220212.tif 000031
【図３０】
2017220212.tif 000032
【図３１】
2017220212.tif 000033
【図３２】
2017220212.tif 000034
【図３３】
2017220212.tif 000035
【図３４】
2017220212.tif 000036
【図３５】
2017220212.tif 000037
【図３６】
2017220212.tif 000038
【図３７】
2017220212.tif 000039
【図３８】
2017220212.tif 000040